(57)【要約】【課題】  放送局側の設備を複雑化させることなく、映像コンテンツを構成する全データブロックを取得し終えるまでの時間を短縮することができる放送波受信システムを提供する。【解決手段】  受信装置４０に対して放送波の受信を要求する受信要求手段と、放送波を受信して映像コンテンツを取得するコンテンツ取得手段と、データブロックの受信エラーを検出する受信エラー検出手段と、受信エラーの検出結果に基づいて受信装置４０に映像コンテンツの転送を要求する転送要求手段とを備えた携帯通信端末２０、及び、携帯通信端末２０からの受信要求に基づいて放送波の受信を開始させる受信制御手段と、放送波を受信して得られたデータブロックを保持するデータブロック保持手段と、携帯通信端末２０からの転送要求に基づいて保持手段に保持されているデータブロックを携帯通信端末２０へ転送するデータブロック転送手段とを備えた受信装置４０により構成される。【選択図】  図５
2010087554.tif 000002
【特許請求の範囲】
【請求項１】
２以上のデータブロックに分割された映像コンテンツを含むカルーセル方式の放送波を受信する受信装置と、上記放送波の受信及び上記受信装置との通信を行う携帯通信端末とからなる放送波受信システムにおいて、
上記携帯通信端末は、上記受信装置に対して上記放送波の受信を要求する受信要求手段と、
上記放送波を受信し、予め指定された上記映像コンテンツを取得するコンテンツ取得手段と、
上記データブロックの受信エラーを検出する受信エラー検出手段と、
上記受信エラーの検出結果に基づいて、上記受信装置に上記映像コンテンツの転送を要求する転送要求手段とを備え、
上記受信装置は、上記携帯通信端末からの受信要求に基づいて、上記放送波の受信を開始させる受信制御手段と、
上記放送波を受信して得られた上記データブロックを保持するデータブロック保持手段と、
上記携帯通信端末からの転送要求に基づいて、上記データブロック保持手段に保持されているデータブロックを上記携帯通信端末へ転送するデータブロック転送手段とを備えたことを特徴とする放送波受信システム。
【請求項２】
上記携帯通信端末は、上記映像コンテンツの取得中に受信エラーが検出されたデータブロックが所定数を越えた場合に、放送波の受信を終了させるダウンロード制御手段を備え、
上記転送要求手段が、放送波の受信終了前に取得されなかった未取得ブロックの転送を要求することを特徴とする請求項１に記載の放送波受信システム。
【請求項３】
上記携帯通信端末は、上記コンテンツ取得手段に放送波の受信開始を指示する受信開始指示手段を備え、
上記受信要求手段が、上記受信開始の指示に基づいて、上記受信装置に放送波の受信を要求することを特徴とする請求項１又は２に記載の放送波受信システム。
【請求項４】
上記携帯通信端末は、上記映像コンテンツの取得中にデータブロックの受信エラーが検出された場合に、当該受信エラーによって延長される放送波の受信延長時間を算出する受信延長時間算出手段を備え、
上記転送要求手段は、上記受信延長時間が所定の閾値以上である場合に、上記受信装置に映像コンテンツの転送を要求することを特徴とする請求項１に記載の放送波受信システム。
【請求項５】
２以上のデータブロックに分割された映像コンテンツを含むカルーセル方式の放送波を受信する受信装置と、上記放送波の受信及び上記受信装置との通信を行う携帯通信端末とからなる放送波受信システムに用いられる上記携帯通信端末において、
上記受信装置に対して上記放送波の受信を要求する受信要求手段と、
上記放送波を受信し、予め指定された上記映像コンテンツを取得するコンテンツ取得手段と、
上記データブロックの受信エラーを検出する受信エラー検出手段と、
上記受信エラーの検出結果に基づいて、上記受信装置に上記映像コンテンツの転送を要求する転送要求手段と、
上記映像コンテンツの取得中に受信エラーが検出されたデータブロックが所定数を越えた場合に、放送波の受信を終了させるダウンロード制御手段とを備え、
上記転送要求手段は、放送波の受信終了前に取得されなかった未取得ブロックの転送を要求することを特徴とする携帯通信端末。
【請求項６】
２以上のデータブロックに分割された映像コンテンツを含むカルーセル方式の放送波を受信する受信装置と、上記放送波の受信及び上記受信装置との通信を行う携帯通信端末とからなる放送波受信システムに用いられる上記携帯通信端末において、
上記受信装置に対して上記放送波の受信を要求する受信要求手段と、
上記放送波を受信し、予め指定された上記映像コンテンツを取得するコンテンツ取得手段と、
上記データブロックの受信エラーを検出する受信エラー検出手段と、
上記受信エラーの検出結果に基づいて、上記受信装置に上記映像コンテンツの転送を要求する転送要求手段と、
上記コンテンツ取得手段に放送波の受信開始を指示する受信開始指示手段とを備え、
上記受信要求手段が、上記受信開始の指示に基づいて、上記受信装置に放送波の受信を要求することを特徴とする携帯通信端末。
【請求項７】
２以上のデータブロックに分割された映像コンテンツを含むカルーセル方式の放送波を受信する受信装置と、上記放送波の受信及び上記受信装置との通信を行う携帯通信端末とからなる放送波受信システムに用いられる上記携帯通信端末において、
上記受信装置に対して上記放送波の受信を要求する受信要求手段と、
上記放送波を受信し、予め指定された上記映像コンテンツを取得するコンテンツ取得手段と、
上記データブロックの受信エラーを検出する受信エラー検出手段と、
上記受信エラーの検出結果に基づいて、上記受信装置に上記映像コンテンツの転送を要求する転送要求手段と、
上記映像コンテンツの取得中にデータブロックの受信エラーが検出された場合に、当該受信エラーによって延長される放送波の受信延長時間を算出する受信延長時間算出手段とを備え、
上記転送要求手段は、上記受信延長時間が所定の閾値以上である場合に、上記受信装置に映像コンテンツの転送を要求することを特徴とする携帯通信端末。
【請求項８】
２以上のデータブロックに分割された映像コンテンツを含むカルーセル方式の放送波を受信する受信装置と、上記放送波の受信及び上記受信装置との通信を行う携帯通信端末とからなる放送波受信システムであって、
上記携帯通信端末が、上記受信装置に対して上記放送波の受信を要求する受信要求手段と、上記放送波を受信し、予め指定された上記映像コンテンツを取得するコンテンツ取得手段と、上記データブロックの受信エラーを検出する受信エラー検出手段と、上記受信エラーの検出結果に基づいて、上記受信装置に上記映像コンテンツの転送を要求する転送要求手段とを有する放送波受信システムに用いられる上記受信装置において、
上記携帯通信端末からの受信要求に基づいて、上記放送波の受信を開始させる受信制御手段と、
上記放送波を受信して得られた上記データブロックを保持するデータブロック保持手段と、
上記携帯通信端末からの転送要求に基づいて、上記データブロック保持手段に保持されているデータブロックを上記携帯通信端末へ転送するデータブロック転送手段とを備えたことを特徴とする受信装置。
【発明の詳細な説明】
【技術分野】
【０００１】
本発明は、放送波受信システム、携帯通信端末及び受信装置に係り、さらに詳しくは、２以上のデータブロックに分割された映像コンテンツを含むカルーセル方式の放送波を受信して映像コンテンツを取得する放送波受信システムに関する。
【背景技術】
【０００２】
近年、携帯電話機などの携帯端末向けのデジタル放送サービスとして、ＶＨＦ帯の特定の周波数帯域を利用して映像コンテンツなどを提供するモバイルマルチメディア放送サービスが検討されている。モバイルマルチメディア放送サービスは、アナログテレビ放送の終了に伴って生じる空き周波数を利用する新たな放送サービスであり、従来のＵＨＦ帯の１セグメントを用いた放送サービスに比べて、高画質な動画像や高品質の音声をストリーミング配信したり、ダウンロード配信することができる。
【０００３】
このモバイルマルチメディア放送サービスでは、上述したようにストリーム型放送と、ダウンロード型放送との２つの放送形態が想定されている。ストリーム型放送は、コンテンツ（番組）として提供されたデータをパケット化して順次に放送する放送形態であり、放送波の受信側では、従来のワンセグ放送と同様にコンテンツをリアルタイムに視聴することができる。一方、ダウンロード型放送は、コンテンツを複数のデータブロック（パケット）に分割し放送する形態であり、１つの方式として複数のデータブロックをカルーセル方式で繰返し放送する放送形態が挙げられる。
【０００４】
カルーセル方式とは、コンテンツを構成する多数のデータブロックを所定の順序で順次に送信することを一定時間ごとに繰り返すデータ伝送方式のことであり、放送波の受信側では、任意のタイミングで所望のコンテンツを確実に取得することができる。すなわち、カルーセル周期の途中から放送波の受信を開始し、当該周期においてコンテンツの一部又は全部を取得し損なった場合であっても、次の周期でこれらのデータブロックを受信することができる。また、放送波の受信状態が悪くてデータブロックが正常に受信できず、コンテンツを構成するデータブロックに欠損が生じた場合であっても、欠損ブロックが次の周期で放送されるまで放送波の受信を継続させることによって、当該欠損ブロックを取得することができる。
【０００５】
一般に、動画像からなる映像コンテンツをダウンロード配信する場合、文字や静止画像をダウンロード配信する場合に比べて、伝送しようとするデータ量が多いことから、カルーセル周期は、長くなってしまう。このため、映像コンテンツを構成するデータブロックに欠損が生じた場合、放送波の受信を継続させて欠損ブロックを取得しようとすれば、映像コンテンツを構成する全てのデータブロックの受信が完了するまでに長い時間を要してしまうという問題があった。
【０００６】
そこで、コンテンツを構成するデータブロックに欠損が生じた場合に、受信端末に通信ネットワークを介して放送局から欠損ブロックを取得させることによって、コンテンツを構成する全データブロックを取得し終えるまでの時間を短縮する技術が提案されている（例えば、特許文献１）。この特許文献１に記載のデータ放送方法は、通信ネットワークを介して受信端末が欠損ブロックの転送を放送局に要求した際に、放送局が受信端末からの転送要求に基づいて欠損ブロックに対応するデータブロックを当該受信端末に転送するものである。しかしながら、放送局が受信端末からの転送要求に基づいて欠損ブロックを転送する方法では、放送エリア内の多数の受信端末から同時に転送要求が送信された場合にも対応可能でなければならないので、放送局側の設備が複雑化して製造コストが増大してしまうという問題があった。
【特許文献１】特開２００２−３６８７０７号公報
【発明の開示】
【発明が解決しようとする課題】
【０００７】
本発明は、上記事情に鑑みてなされたものであり、放送局側の設備を複雑化させることなく、映像コンテンツを構成する全データブロックを取得し終えるまでの時間を短縮することができる放送波受信システム、携帯通信端末及び受信装置を提供することを目的としている。特に、映像コンテンツを構成する複数のデータブロックに受信エラーが検出された場合に、映像コンテンツを取得し終えるまでの時間を短縮することができる放送波受信システムを提供することを目的としている。
【０００８】
また、本発明の他の目的は、特定の周波数帯域の干渉波が存在することによって放送波が受信しづらい場合に、電力消費量の増大を抑制しつつ、所望の映像コンテンツを取得することができる放送波受信システムを提供することを目的としている。
【課題を解決するための手段】
【０００９】
第１の本発明による放送波受信システムは、２以上のデータブロックに分割された映像コンテンツを含むカルーセル方式の放送波を受信する受信装置と、上記放送波の受信及び上記受信装置との通信を行う携帯通信端末とからなる放送波受信システムに適用される。そして、上記携帯通信端末は、上記受信装置に対して上記放送波の受信を要求する受信要求手段と、上記放送波を受信し、予め指定された上記映像コンテンツを取得するコンテンツ取得手段と、上記データブロックの受信エラーを検出する受信エラー検出手段と、上記受信エラーの検出結果に基づいて、上記受信装置に上記映像コンテンツの転送を要求する転送要求手段とを備え、上記受信装置は、上記携帯通信端末からの受信要求に基づいて、上記放送波の受信を開始させる受信制御手段と、上記放送波を受信して得られた上記データブロックを保持するデータブロック保持手段と、上記携帯通信端末からの転送要求に基づいて、上記データブロック保持手段に保持されているデータブロックを上記携帯通信端末へ転送するデータブロック転送手段とを備えて構成される。
【００１０】
この放送波受信システムでは、放送波の受信装置が、携帯通信端末からの受信要求に基づいて放送波の受信を開始し、保持手段に保持されているデータブロックを映像コンテンツの転送要求に基づいて携帯通信端末へ転送する。この様な構成によれば、データブロックの受信エラーが検出された場合に、受信装置に欠損ブロックを転送させるので、放送局側の設備を複雑化させることなく、映像コンテンツを構成する全データブロックを取得し終えるまでの時間を短縮することができる。特に、欠損ブロックの転送要求時に受信装置に対して放送波の受信を要求すれば、データブロックの受信エラーが検出された際に、受信装置に放送波の受信を開始させることができる。従って、２つ目以降の欠損ブロックについてはカルーセル周期よりも短い時間で取得できるので、映像コンテンツを構成する複数のデータブロックに受信エラーが検出された場合に、映像コンテンツを取得し終えるまでの時間を短縮することができる。
【００１１】
第２の本発明による放送波受信システムは、上記構成に加え、上記携帯通信端末が、上記映像コンテンツの取得中に受信エラーが検出されたデータブロックが所定数を越えた場合に、放送波の受信を終了させるダウンロード制御手段を備え、上記転送要求手段が、放送波の受信終了前に取得されなかった未取得ブロックの転送を要求するように構成される。
【００１２】
この放送波受信システムでは、携帯通信端末において、受信エラーが検出されたデータブロックが所定数を越えれば、放送波の受信が終了され、受信エラーによる欠損ブロックだけでなく受信終了によって取得できなくなった受信放棄ブロックも未取得ブロックとして転送することが要求される。この様な構成によれば、特定の周波数帯域の干渉波が存在することによって放送波が受信しづらい場合に、放送波の受信を速やかに終了させることができるので、電力消費量の増大を抑制しつつ、所望の映像コンテンツを取得することができる。
【００１３】
第３の本発明による放送波受信システムは、上記構成に加え、上記携帯通信端末が、上記コンテンツ取得手段に放送波の受信開始を指示する受信開始指示手段を備え、上記受信要求手段が、上記受信開始の指示に基づいて、上記受信装置に放送波の受信を要求するように構成される。この様な構成によれば、放送波の受信開始の指示に基づいて受信装置に放送波の受信が要求され、受信装置が放送波の受信を開始するので、携帯通信端末及び受信装置に放送波の受信を同時に開始させることができる。従って、放送局側の設備を複雑化させることなく、映像コンテンツを構成する全データブロックを取得し終えるまでの時間を短縮することができる。
【００１４】
第４の本発明による放送波受信システムは、上記構成に加え、上記携帯通信端末が、上記映像コンテンツの取得中にデータブロックの受信エラーが検出された場合に、当該受信エラーによって延長される放送波の受信延長時間を算出する受信延長時間算出手段を備え、上記転送要求手段が、上記受信延長時間が所定の閾値以上である場合に、上記受信装置に映像コンテンツの転送を要求するように構成される。
【００１５】
この様な構成によれば、受信エラーによって延長される放送波の受信延長時間に応じて欠損ブロックの転送を受信装置に要求することができるので、複数の携帯通信端末に共通の受信装置が転送要求に基づいて欠損ブロックを転送する場合に、トラフィックが混雑するのを抑制することができる。
【００１６】
第５の本発明による携帯通信端末は、２以上のデータブロックに分割された映像コンテンツを含むカルーセル方式の放送波を受信する受信装置と、上記放送波の受信及び上記受信装置との通信を行う携帯通信端末とからなる放送波受信システムに用いられる。具体的には、上記受信装置に対して上記放送波の受信を要求する受信要求手段と、上記放送波を受信し、予め指定された上記映像コンテンツを取得するコンテンツ取得手段と、上記データブロックの受信エラーを検出する受信エラー検出手段と、上記受信エラーの検出結果に基づいて、上記受信装置に上記映像コンテンツの転送を要求する転送要求手段と、上記映像コンテンツの取得中に受信エラーが検出されたデータブロックが所定数を越えた場合に、放送波の受信を終了させるダウンロード制御手段とを備え、上記転送要求手段が、放送波の受信終了前に取得されなかった未取得ブロックの転送を要求するように構成される。
【００１７】
第６の本発明による携帯通信端末は、２以上のデータブロックに分割された映像コンテンツを含むカルーセル方式の放送波を受信する受信装置と、上記放送波の受信及び上記受信装置との通信を行う携帯通信端末とからなる放送波受信システムに用いられる。具体的には、上記受信装置に対して上記放送波の受信を要求する受信要求手段と、上記放送波を受信し、予め指定された上記映像コンテンツを取得するコンテンツ取得手段と、上記データブロックの受信エラーを検出する受信エラー検出手段と、上記受信エラーの検出結果に基づいて、上記受信装置に上記映像コンテンツの転送を要求する転送要求手段と、上記コンテンツ取得手段に放送波の受信開始を指示する受信開始指示手段とを備え、上記受信要求手段が、上記受信開始の指示に基づいて、上記受信装置に放送波の受信を要求するように構成される。
【００１８】
第７の本発明による携帯通信端末は、２以上のデータブロックに分割された映像コンテンツを含むカルーセル方式の放送波を受信する受信装置と、上記放送波の受信及び上記受信装置との通信を行う携帯通信端末とからなる放送波受信システムに用いられる。具体的には、上記受信装置に対して上記放送波の受信を要求する受信要求手段と、上記放送波を受信し、予め指定された上記映像コンテンツを取得するコンテンツ取得手段と、上記データブロックの受信エラーを検出する受信エラー検出手段と、上記受信エラーの検出結果に基づいて、上記受信装置に上記映像コンテンツの転送を要求する転送要求手段と、上記映像コンテンツの取得中にデータブロックの受信エラーが検出された場合に、当該受信エラーによって延長される放送波の受信延長時間を算出する受信延長時間算出手段とを備え、上記転送要求手段は、上記受信延長時間が所定の閾値以上である場合に、上記受信装置に映像コンテンツの転送を要求するように構成される。
【００１９】
第８の本発明による受信装置は、２以上のデータブロックに分割された映像コンテンツを含むカルーセル方式の放送波を受信する受信装置と、上記放送波の受信及び上記受信装置との通信を行う携帯通信端末とからなる放送波受信システムであって、上記携帯通信端末が、上記受信装置に対して上記放送波の受信を要求する受信要求手段と、上記放送波を受信し、予め指定された上記映像コンテンツを取得するコンテンツ取得手段と、上記データブロックの受信エラーを検出する受信エラー検出手段と、上記受信エラーの検出結果に基づいて、上記受信装置に上記映像コンテンツの転送を要求する転送要求手段とを有する放送波受信システムに用いられる。具体的には、上記携帯通信端末からの受信要求に基づいて、上記放送波の受信を開始させる受信制御手段と、上記放送波を受信して得られた上記データブロックを保持するデータブロック保持手段と、上記携帯通信端末からの転送要求に基づいて、上記データブロック保持手段に保持されているデータブロックを上記携帯通信端末へ転送するデータブロック転送手段とを備えて構成される。
【発明の効果】
【００２０】
本発明による放送波受信システム、携帯通信端末及び受信装置によれば、データブロックの受信エラーが検出された場合に、携帯通信端末と受信装置に欠損ブロックを転送させるので、放送局側の設備を複雑化させることなく、映像コンテンツを構成する全データブロックを取得し終えるまでの時間を短縮することができる。特に、欠損ブロックの転送要求時に受信装置に対して放送波の受信を要求することによって、データブロックの受信エラーが検出された際に、受信装置に放送波の受信を開始させることができる。従って、２つ目以降の欠損ブロックについてはカルーセル周期よりも短い時間で取得できるので、映像コンテンツを構成する複数のデータブロックに受信エラーが検出された場合に、映像コンテンツを取得し終えるまでの時間を短縮することができる。
【００２１】
また、特定の周波数帯域の干渉波が存在することによって放送波が受信しづらい場合に、放送波の受信を速やかに終了させることができるので、電力消費量を増大させることなく、所望の映像コンテンツを取得することができる。
【発明を実施するための最良の形態】
【００２２】
実施の形態１．
図１は、本発明の実施の形態１による放送波受信システムの概略構成の一例を示したシステム図である。この放送波受信システム１００は、ＶＨＦ帯の周波数帯域を利用して映像コンテンツを提供するデジタル放送の受信システムであり、放送波を受信する受信装置４０と、放送波の受信及び受信装置４０との通信を行う携帯通信端末２０とからなる。
【００２３】
放送局１０は、デジタル放送サービスを提供する放送事業者が管理する送信装置であり、予め割り当てられた周波数帯域（放送チャンネル）の放送波が地上に設置された電波塔１１から送信される。ここでは、複数のデータブロック（ＤＢ）に分割された映像コンテンツがカルーセル方式で繰返し放送されるものとする。
【００２４】
携帯通信端末２０は、放送局１０からの放送波を受信して映像コンテンツをダウンロード（ＤＬ）するとともに、受信装置４０との間で通信を行う携帯電話機などの通信端末である。受信装置４０との間の通信は、例えば、基地局３０、移動体通信回線網３１及びインターネット３２を介して行われる。
【００２５】
受信装置４０は、据置き型の放送波受信アンテナ４１を備え、放送局１０からの放送波を受信して映像コンテンツを構成するデータブロックを取得するとともに、携帯通信端末２０との間で通信を行う通信装置であり、インターネット３２に接続されている。この様な受信装置４０としては、容量の大きな記憶装置、例えば、ＨＤＤを備えていることから、ＴＶ番組を録画する録画装置が好適である。
【００２６】
図２（ａ）及び（ｂ）は、図１の放送局１０によって送信されるデータカルーセルの一例を模式的に示した説明図である。図２（ａ）には、複数のデータブロックＢ１に分割された映像コンテンツＡ１，Ａ２が示され、図２（ｂ）には、データブロックＢ１及びＤＬ情報ブロックＢ２によって構成されたループ状のデータカルーセルＣ１が示されている。
【００２７】
映像コンテンツＡ１，Ａ２は、放送事業者によって提供される番組であり、例えば、同じデータサイズからなる複数のデータブロックＢ１に予め分割される。この例では、映像コンテンツＡ１が、７つのデータブロック「ＤＢ１−１」〜「ＤＢ１−７」に分割され、映像コンテンツＡ２が、４つのデータブロック「ＤＢ２−１」〜「ＤＢ２−４」に分割されている。
【００２８】
各データブロックＢ１は、付加情報と、画像データからなるデータ本体とによって構成され、付加情報として、コンテンツの識別情報、例えば、コンテンツＩＤと、データブロックの識別情報、例えば、ブロック番号などが付加されている。
【００２９】
データカルーセルＣ１は、１又は２以上の映像コンテンツを繰返し放送する際の１周期分のデータであり、映像コンテンツＡ１，Ａ２を構成するデータブロックＢ１と、ＤＬ情報ブロックＢ２とを放送順に並べて構成される。
【００３０】
ＤＬ情報ブロックＢ２は、コンテンツのダウンロードに関する制御情報からなる情報ブロック（ＩＢ）であり、データカルーセルＣ１の識別情報と、データブロックＢ１のデータサイズと、コンテンツ情報とによって構成される。コンテンツ情報としては、データカルーセルＣ１に含まれるコンテンツの識別情報、データサイズなどが付加されている。
【００３１】
このＤＬ情報ブロックＢ２を受信して解析することにより、データカルーセルＣ１内の映像コンテンツＡ１，Ａ２の送信周期（カルーセル周期）や、ダウンロードしようとする映像コンテンツについて、１カルーセル周期内における最後のデータブロックを判別することができる。この様なＤＬ情報ブロックＢ２は、所定間隔でデータカルーセルＣ１内に配置される。つまり、ＤＬ情報ブロックＢ２は、データブロックＢ１の送信周期、すなわち、カルーセル周期よりも短い時間間隔で送信される。ここでは、各映像コンテンツＡ１，Ａ２の前に配置されている。
【００３２】
この様にして構成されるデータカルーセルＣ１は、放送チャンネル内の所定の周波数帯域を使用して送信される。つまり、データカルーセルＣ１は、放送局１０に割り当てられた放送チャンネルを使用して伝送される。データカルーセルＣ１の伝送に使用する周波数帯域、その帯域幅、変調方式などは、伝送しようとするデータカルーセルのデータサイズや当該データカルーセルに含まれるコンテンツによって予め決定される。
【００３３】
ここで、映像コンテンツＡ１，Ａ２を構成する各データブロックＢ１には、データ再生時の順序（再生順）が規定されているが、その再生順は、データカルーセルＣ１を放送する際の各データブロックＢ１の順序（放送順）と必ずしも一致している必要はない。データブロックＢ１の放送順が、再生順と一致していない場合には、放送波を受信してダウンロードしたデータブロックを当該データブロックに含まれる付加情報に基づいて再配置することによって、正しい順序で映像コンテンツを再生することができる。
【００３４】
図３は、図１の放送波受信システム１００の要部における構成例を示したブロック図であり、携帯通信端末２０内の機能構成の一例が示されている。この携帯通信端末２０は、ＤＬコンテンツ情報取得部２１、放送波受信アンテナ２２、増幅器２３、復調部２４、ＤＢ書込み部２５、ＤＢ記憶部２６、受信エラー検出部２７、転送要求部２８、受信要求部２９、通信アンテナ５１、未取得ブロック書込み部５２及びＤＬ制御部５３により構成される。
【００３５】
ＤＬコンテンツ情報取得部２１は、ダウンロードしようとする映像コンテンツを指定するＤＬコンテンツ情報を取得する動作を行っている。ＤＬコンテンツ情報には、放送チャンネル、データカルーセルの伝送に使用する周波数帯域、変調方式、コンテンツの識別情報などが含まれる。この様なＤＬコンテンツ情報は、例えば、放送波を受信して取得される放送番組表を表示し、放送番組表中の特定のコンテンツをユーザが選択することによって取得される。或いは、ＤＬコンテンツ情報は、ユーザが放送チャンネルや周波数帯域を入力することによって取得される。
【００３６】
放送波受信アンテナ２２は、放送波を受信し、受信信号を生成する放送波用のアンテナである。放送波の受信信号は、増幅器２３において増幅され、その増幅信号が復調部２４により復調される。ここでは、所定の変調方式、例えば、ＱＰＳＫ（４相位相偏移変調）方式で変調されたデジタル変調信号をＤＬコンテンツ情報に基づいて復調することによって、データブロックＢ１が取得されるものとする。なお、デジタル変調信号の変調方式としては、ＱＰＳＫの他に、１６ＱＡＭ（Quadrature Amplitude Modulation）、６４ＱＡＭなどが用いられる場合もある。
【００３７】
ＤＢ書込み部２５は、デジタル変調信号を復調することによって得られたデータブロックＢ１をＤＢ記憶部２６内に格納する動作を行っている。具体的には、ＤＬコンテンツ情報によって指定された映像コンテンツを構成するデータブロックが取得されれば、ＤＢ記憶部２６に書き込む動作が行われる。つまり、放送波受信アンテナ２２、増幅器２３、復調部２４及びＤＢ書込み部２５は、ＤＬコンテンツ情報によって予め指定された映像コンテンツを取得するコンテンツ取得手段となっている。
【００３８】
受信エラー検出部２７は、データブロックＢ１の受信エラーを検出し、検出結果を転送要求部２８、受信要求部２９及びＤＬ制御部５３へ出力する動作を行っている。データブロックＢ１の受信エラーは、例えば、復調部２４による復調結果に基づいて検出される。
【００３９】
転送要求部２８は、受信エラー検出部２７による検出結果に基づいて、受信装置４０に映像コンテンツの転送を要求する動作を行っている。具体的には、欠損ブロックに対応するデータブロックＢ１を指定する欠損ブロック情報が転送要求として通信アンテナ５１を介して受信装置４０に送信される。
【００４０】
受信要求部２９は、受信装置４０に対して放送波の受信を要求する動作を行っており、ここでは、ＤＬコンテンツ情報が受信要求として通信アンテナ５１を介して受信装置４０に送信される。ここでは、受信装置４０に対する受信要求及び転送要求が、同時に行われ、データブロックＢ１の受信エラーが検出されるごとに受信要求及び転送要求が送信されるものとする。
【００４１】
未取得ブロック書込み部５２は、通信アンテナ５１を介して受信装置４０から転送されたデータブロックを受信し、ＤＢ記憶部２６内に書き込む動作を行っている。
【００４２】
ＤＬ制御部５３は、復調部２４による復調結果に基づいて増幅器２３及び復調部２４を制御し、映像コンテンツの取得中に受信エラーが検出されたデータブロックが所定数Ｎを越えた場合に、放送波の受信を終了させる動作を行っている。具体的には、ＤＬコンテンツ情報によって指定された映像コンテンツについて、受信エラーが検出されたデータブロックの数が所定数Ｎを越えれば、増幅器２３及び復調部２４に対して直ちに放送波の受信を終了させる動作が行われる。放送波の受信終了は、例えば、増幅器２３及び復調部２４の動作を停止させることによって行われる。
【００４３】
一般に、特定の周波数帯域の干渉波が存在することによって放送波が受信しづらい状況では、カルーセル周期よりも長い時間にわたってデータブロックが正常に受信できない可能性が高い。この様なケースにおいて、欠損ブロックが次に放送されるまで放送波の受信を継続させても欠損ブロックが受信できる見込みは小さい。従って、欠損ブロックが所定数を越えた場合に、放送波の受信を終了させることによって、電池の消耗を効果的に抑制することができる。
【００４４】
ここでは、ユーザ操作に基づいて放送波の受信が開始されるものとする。また、ＤＬコンテンツ情報によって指定された映像コンテンツについて、取得すべきデータブロックに受信エラーが検出されなかった場合、ＤＬ情報ブロックの解析結果に基づいて放送波の受信を終了させる動作（通常動作）が行われる。さらに、受信エラーが検出されたデータブロックが所定数Ｎ以下の場合にも、通常動作の場合と同じタイミングで放送波の受信を終了させる動作が行われ、欠損ブロックが次に放送されるまで受信を継続させるようなことは行わない。
【００４５】
転送要求部２８では、受信エラーの検出結果に基づいて、放送波の受信終了前に取得されなかったデータブロックの転送が要求される。すなわち、映像コンテンツの取得中に受信エラーが検出されたデータブロックの数が所定数Ｎ以下である場合、受信エラーによって取得できなかったデータブロック（欠損ブロック）の転送が要求される。一方、受信エラーが検出されたデータブロックの数が所定数Ｎを越えている場合には、欠損ブロックだけでなく、放送波の受信終了によって取得できなくなったデータブロック（受信放棄ブロック）も転送が要求される。つまり、未取得ブロックには、受信エラーによって取得できなかった欠損ブロックと、欠損ブロックが所定数を越えたために取得できなくなった受信放棄ブロックとが含まれている。
【００４６】
図４は、図１の放送波受信システム１００の要部における構成例を示したブロック図であり、受信装置４０内の機能構成の一例が示されている。この受信装置４０は、放送波受信アンテナ４１、増幅器４２、復調部４３、ＤＢ書込み部４４、ＤＢ記憶部４５、ネットワーク接続部４６、受信制御部４７及びＤＢ転送部４８により構成される。
【００４７】
放送波受信アンテナ４１は、放送波を受信し、受信信号を生成する放送波用のアンテナである。放送波の受信信号は、増幅器４２において増幅され、その増幅信号が復調部４３により復調される。ＤＢ書込み部４４は、デジタル変調信号を復調することによって得られたデータブロックＢ１をＤＢ記憶部４５内に格納する動作を行っている。
【００４８】
ネットワーク接続部４６は、通信ケーブルの接続部であり、当該通信ケーブルを介してインターネット３２に接続されている。受信制御部４７は、ネットワーク接続部４６を介して携帯通信端末２０からの受信要求に基づいて、放送波の受信を開始させる動作を行っている。具体的には、携帯通信端末２０から転送されたＤＬコンテンツ情報に基づいて、放送チャンネルなどを決定し、増幅器４２及び復調部４３に受信を開始させる動作が行われる。
【００４９】
ここでは、携帯通信端末２０から転送要求と共に受信要求として転送されるＤＬコンテンツ情報に基づいて、放送波の受信が開始される。放送波の受信開始は、例えば、増幅器４２及び復調部４３の動作を開始させ、ＤＬコンテンツ情報に基づいてデジタル変調信号を復調させることによって行われる。
【００５０】
ＤＢ転送部４８は、携帯通信端末２０からの転送要求に基づいて、ＤＢ記憶部４５に保持されているデータブロックを携帯通信端末２０へ転送する動作を行っている。
【００５１】
図５のステップＳ１０１〜Ｓ１０５及びＳ２０１〜Ｓ２０３は、図１の放送波受信システム１００における動作の一例を示したシーケンス図である。まず、携帯通信端末２０は、ユーザによる開始操作に基づいて、放送波の受信を開始し（ステップＳ１０１）、ＤＬコンテンツ情報によって指定された映像コンテンツを構成するデータブロック「ＤＢ１−１」〜「ＤＢ１−６」を順次に受信する。
【００５２】
携帯通信端末２０は、データブロック「ＤＢ１−６」の受信時に受信エラーを検出した場合（ステップＳ１０２）、受信エラーが検出されたデータブロック「ＤＢ１−６」の転送を要求する転送要求を生成し、受信要求と共に直ちに受信装置４０へ送信する（ステップＳ１０３）。
【００５３】
受信装置４０は、携帯通信端末２０からの転送要求及び受信要求を受信すると、ＤＬコンテンツ情報に基づいて、放送波の受信を開始する（ステップＳ２０１）。
【００５４】
次に、携帯通信端末２０は、ＤＬコンテンツ情報によって指定された映像コンテンツを構成するデータブロックのうち、最後に放送されたデータブロックを受信すると、放送波の受信を終了する（ステップＳ１０４）。
【００５５】
一方、受信装置４０は、転送要求で欠損ブロックとして指定されたデータブロック「ＤＢ１−６」を受信すると、当該データブロックを携帯通信端末２０へ転送し、放送波の受信を終了する（ステップＳ２０２，Ｓ２０３）。
【００５６】
携帯通信端末２０は、受信装置４０から欠損ブロック「ＤＢ１−６」が転送されると、当該データブロックをＤＢ記憶部２６に書込み、この処理を終了する（ステップＳ１０５）。
【００５７】
本実施の形態によれば、データブロックの受信エラーが検出された場合に、受信装置４０に欠損ブロックを転送させるので、放送局１０側の設備を複雑化させることなく、映像コンテンツを構成する全データブロックを取得し終えるまでの時間を短縮することができる。特に、欠損ブロックの転送要求時に受信装置４０に対して放送波の受信を要求するので、データブロックの受信エラーが検出された際に、受信装置４０に放送波の受信を開始させることができ、２つ目以降の欠損ブロックについてはカルーセル周期よりも短い時間で取得することができる。つまり、２つ目以降の欠損ブロックについては、受信装置４０が、１つ目の欠損ブロックの転送要求時に放送波の受信を開始し、受信したデータブロックを保持しているので、携帯通信端末２０から欠損ブロックの転送要求があれば、直ちに該当する欠損ブロックを転送することができる。
【００５８】
また、特定の周波数帯域の干渉波が存在することによって放送波が受信しづらい場合に、放送波の受信を速やかに終了させることができるので、電力消費量の増大を抑制しつつ、所望の映像コンテンツを取得することができる。
【００５９】
実施の形態２．
実施の形態１では、欠損ブロックの転送要求時に受信装置４０に対して受信を要求することによって、データブロックの受信エラーが検出された際に、受信装置４０が放送波の受信を開始する場合の例について説明した。これに対し、本実施の形態では、放送波の受信開始時に受信装置４０に対して受信を要求することによって、受信装置４０が放送波の受信を予め開始している場合について説明する。
【００６０】
図６は、本発明の実施の形態２による放送波受信システムにおける携帯通信端末６０の一構成例を示したブロック図である。この携帯通信端末６０は、図３の携帯通信端末２０と比較すれば、受信開始指示部６１を備えている点で異なる。
【００６１】
受信開始指示部６１は、コンテンツ取得手段、すなわち、増幅器２３及び復調部２４に対して放送波の受信開始を指示する動作を行っている。ここでは、ユーザによる開始操作に基づいて、受信開始が指示される。
【００６２】
受信要求部２９では、受信開始指示部６１による受信開始の指示に基づいて、受信装置４０に放送波の受信を要求する動作を行っている。
【００６３】
図７のステップＳ１１１〜Ｓ１１６及びＳ２１１〜Ｓ２１３は、図６の携帯通信端末６０を含む放送波受信システムにおける動作の一例を示したシーケンス図である。まず、携帯通信端末６０は、ユーザ操作に基づいて受信開始を指示し、この受信開始の指示に基づいて、ＤＬコンテンツ情報を受信要求として受信装置４０へ転送するとともに、放送波の受信を開始する（ステップＳ１１１，Ｓ１１２）。そして、ＤＬコンテンツ情報によって指定された映像コンテンツを構成するデータブロック「ＤＢ１−１」〜「ＤＢ１−６」を順次に受信する。
【００６４】
受信装置４０は、携帯通信端末６０から転送されたＤＬコンテンツ情報を受信すると、当該ＤＬコンテンツ情報に基づいて、放送波の受信を開始する（ステップＳ２１１）。
【００６５】
携帯通信端末６０は、データブロック「ＤＢ１−６」の受信時に受信エラーを検出した場合（ステップＳ１１３）、受信エラーが検出されたデータブロック「ＤＢ１−６」の転送を要求する転送要求を生成し、直ちに受信装置４０へ送信する（ステップＳ１１４）。
【００６６】
受信装置４０は、携帯通信端末６０からの転送要求を受信すると、欠損ブロックとして指定されたデータブロック「ＤＢ１−６」を携帯通信端末６０へ転送する（ステップＳ２１２）。
【００６７】
次に、携帯通信端末６０は、受信装置４０から欠損ブロック「ＤＢ１−６」が転送されると、当該データブロックをＤＢ記憶部２６に書込む（ステップＳ１１５）。携帯通信端末６０は、ＤＬコンテンツ情報によって指定された映像コンテンツを構成するデータブロックのうち、最後に放送されたデータブロックを受信すると、放送波の受信を終了し、この処理を終了する（ステップＳ１１６）。
【００６８】
受信装置４０は、ＤＬコンテンツ情報によって指定された映像コンテンツを構成するデータブロックのうち、最後に放送されたデータブロックを受信すると、放送波の受信を終了する（ステップＳ２１３）。
【００６９】
本実施の形態によれば、放送波の受信開始の指示に基づいて受信装置４０に放送波の受信が要求され、受信装置４０が放送波の受信を開始するので、携帯通信端末６０及び受信装置４０に放送波の受信を同時に開始させることができる。従って、放送局１０側の設備を複雑化させることなく、映像コンテンツを構成する全データブロックを取得し終えるまでの時間を短縮することができる。
【００７０】
実施の形態３．
実施の形態２では、映像コンテンツの取得中に受信エラーが検出されたデータブロックが所定数Ｎを越えた際に、放送波の受信を終了させる場合の例について説明した。これに対し、本実施の形態では、受信エラーによって延長される放送波の受信延長時間に応じて欠損ブロックの転送を要求する場合について説明する。
【００７１】
図８は、本発明の実施の形態３による放送波受信システムにおける携帯通信端末７０の一構成例を示したブロック図である。この携帯通信端末７０は、図６の携帯通信端末６０と比較すれば、受信延長時間算出部７１を備えている点で異なる。
【００７２】
受信延長時間算出部７１は、映像コンテンツの取得中にデータブロックの受信エラーが検出された場合に、当該受信エラーによって延長される放送波の受信延長時間を算出する動作を行っている。すなわち、ＤＬコンテンツ情報によって指定された映像コンテンツについて、１カルーセル周期内における最後のデータブロックの受信終了から欠損ブロックが次に放送されるまでの時間が上記受信延長時間として算出される。
【００７３】
この受信延長時間は、例えば、ＤＬ情報ブロックＢ２の解析結果や、最後のデータブロックに含まれる付加情報に基づいて算出される。
【００７４】
転送要求部２８では、受信延長時間算出部７１によって算出された受信延長時間が所定の閾値Ｔｈ以上である場合に、欠損ブロックの転送を要求する動作が行われる。受信延長時間が閾値Ｔｈ未満である場合には、欠損ブロックの転送は要求されず、最後のデータブロックの受信終了後も、欠損ブロックが次に放送されるまで放送波の受信が継続される。
【００７５】
本実施の形態によれば、受信エラーによって延長される放送波の受信延長時間に応じて欠損ブロックの転送を受信装置４０に要求することができるので、複数の携帯通信端末７０に共通の受信装置４０が転送要求に基づいて欠損ブロックを転送する場合に、トラフィックが混雑するのを抑制することができる。
【００７６】
なお、実施の形態１〜３では、１つの周波数帯域を使用して映像コンテンツが伝送される場合の例について説明したが、本発明はこれに限られるものではない。例えば、１つの映像コンテンツを構成するデータブロックを２以上のデータカルーセルに分散させ、異なる周波数帯域を使用してこれらのデータカルーセルを同時に伝送させるような伝送方式にも本発明は適用することができる。
【００７７】
また、実施の形態１〜３では、受信装置４０として、据置き型の放送波受信アンテナ４１が接続された録画装置が用いられる場合の例について説明したが、本発明はこれに限られるものではない。例えば、携帯電話機を受信装置４０として用いるものであっても良い。つまり、２つの携帯端末のうち、一方の携帯端末が欠損ブロックの転送を他方の携帯端末に要求し、他方の携帯端末が該当するデータブロックを一方の携帯端末へ転送するようなシステムであっても良い。
【００７８】
また、実施の形態１〜３では、携帯通信端末及び受信装置間の通信が基地局３０、移動体通信回線網３１及びインターネット３２を介して行われる場合の例について説明したが、本発明はこれに限られるものではない。携帯通信端末及び受信装置間の通信としては、基地局や通信ネットワークを介さずに行われる近距離無線通信、例えば、赤外線通信であっても良い。
【００７９】
また、実施の形態１〜３では、ユーザによる開始操作に基づいて放送波の受信が開始される場合の例について説明したが、本発明はこれに限られるものではない。例えば、ダウンロードの予約を行うことができる携帯通信端末などの場合に、予め定められた所定の時刻に達すれば放送波の受信を自動的に開始するようなものにも本発明は適用することができる。
【００８０】
また、実施の形態１〜３では、放送波を受信して映像コンテンツが取得される場合の例について説明したが、本発明はこれに限られるものではない。ダウンロードされるコンテンツとして、音楽コンテンツ、ゲームコンテンツ、書籍コンテンツなどを取得するようなものにも本発明は適用することができる。
【図面の簡単な説明】
【００８１】
【図１】本発明の実施の形態１による放送波受信システムの概略構成の一例を示したシステム図である。
【図２】図１の放送局１０によって送信されるデータカルーセルの一例を模式的に示した説明図である。
【図３】図１の放送波受信システム１００の要部における構成例を示したブロック図であり、携帯通信端末２０内の機能構成の一例が示されている。
【図４】図１の放送波受信システム１００の要部における構成例を示したブロック図であり、受信装置４０内の機能構成の一例が示されている。
【図５】図１の放送波受信システム１００における動作の一例を示したシーケンス図である。
【図６】本発明の実施の形態２による放送波受信システムにおける携帯通信端末６０の一構成例を示したブロック図である。
【図７】図６の携帯通信端末６０を含む放送波受信システムにおける動作の一例を示したシーケンス図である。
【図８】本発明の実施の形態３による放送波受信システムにおける携帯通信端末７０の一構成例を示したブロック図である。
【符号の説明】
【００８２】
１０  放送局
２０  携帯通信端末
２１  ＤＬコンテンツ情報取得部
２２  放送波受信アンテナ
２３  増幅器
２４  復調部
２５  ＤＢ書込み部
２６  ＤＢ記憶部
２７  受信エラー検出部
２８  転送要求部
２９  受信要求部
３０  基地局
３１  移動体通信回線網
３２  インターネット
４０  受信装置
４１  放送波受信アンテナ
４２  増幅器
４３  復調部
４４  ＤＢ書込み部
４５  ＤＢ記憶部
４６  ネットワーク接続部
４７  受信制御部
４８  ＤＢ転送部
５１  通信アンテナ
５２  未取得ブロック書込み部
５３  ＤＬ制御部
６０  携帯通信端末
６１  受信開始指示部
７０  携帯通信端末
７１  受信延長時間算出部
１００  放送波受信システム
Ａ１，Ａ２  映像コンテンツ
Ｂ１  データブロック
Ｂ２  ＤＬ情報ブロック
Ｃ１  データカルーセル
【図１】
2010087554.tif 000003
【図２】
2010087554.tif 000004
【図３】
2010087554.tif 000005
【図４】
2010087554.tif 000006
【図５】
2010087554.tif 000007
【図６】
2010087554.tif 000008
【図７】
2010087554.tif 000009
【図８】
2010087554.tif 000010